(57)【要約】      （修正有）【課題】井戸用鋼管等の管継手として、施工性が改善された新規な管継手を提供する。【解決手段】接続される２本の管３、３のそれぞれの接続端部４、４の外周面の一部に固着されるフランジ固定用バンド５、５と、管軸と平行に延長し、管の径方向に対向する２箇所においてフランジ固定用バンドの外側に固定された一対の板状のフランジ６、６とを備え、両フランジの締結部材挿入用の１または複数の接続孔７、７が開設されており、フランジ固定用バンドは管軸方向外側部分が管の端縁から所定距離だけ突出した状態で管に固着されており、２本の管の一方の１対のフランジの中一方の側のフランジの管軸方向内側端縁には管の径方向に延長する板状の引掛爪８が固定されており、他方の管の１対のフランジの中前記一方の側と反対側のフランジの管軸方向外側端縁には管の径方向に延長する板状の引掛爪８が固定されていることを特徴とする管継手。【選択図】図１
2014077502.tif 000002
【特許請求の範囲】
【請求項１】
接続される２本の管のそれぞれの接続端部の外周面の少なくとも一部に嵌合され、固着されるフランジ固定用バンドと、管軸と平行に延長し、管の径方向に対向する２箇所において該フランジ固定用バンドの外側に固定された一対の板状のフランジとを備え、該フランジのそれぞれに締結部材挿入用の１または複数の接続孔が開設されており、該フランジは該フランジ固定用バンドの両端部を管の径方向外側に折り曲げることにより形成されており、該フランジ固定用バンドはその管軸方向外側部分が管の端縁から所定距離だけ突出した状態で管に固着されており、接続される２本の管の一方の１対のフランジの中一方の側のフランジの管軸方向内側端縁には管の径方向に延長する板状の引掛爪が固定されており、他方の管の１対のフランジの中前記一方の側と反対側のフランジの管軸方向外側端縁には管の径方向に延長する板状の引掛爪が固定されていることを特徴とする上下方向に吊り下げた管を接続するための管継手。
【請求項２】
接続される２本の管のそれぞれの接続端部の外周面の少なくとも一部に嵌合され、固着されるフランジ固定用バンドと、管軸と平行に延長し、管の径方向に対向する２箇所において該フランジ固定用バンドの外側に固定された一対の板状のフランジとを備え、該フランジのそれぞれに締結部材挿入用の１または複数の接続孔が開設されており、該フランジ固定用バンドは管の接続端部の全外周面にわたって嵌合される短い筒状の部材であり、接続される２本の管の一方の該フランジ固定用バンドはその管軸方向外側部分が管の端縁から内側に向けて所定距離だけ後退した状態で管に固着され、接続される２本の管の他方の該フランジ固定用バンドはその管軸方向外側部分が管の端縁から所定距離だけ突出した状態で管に固着されており、該他方の管の該１対のフランジの管軸方向外側端縁にはそれぞれ管の径方向に延長する板状の引掛爪が固定されていることを特徴とする上下方向に吊り下げた管を接続するための管継手。
【請求項３】
該一方のフランジ固定用バンドには該１対のフランジの管円周方向の中間にさらに該フランジと同一構成の１対のフランジが固定されており、該他方の該フランジ固定用バンドには該１対のフランジの管円周方向中間にさらに該フランジと同一構成の１対のフランジが固定されていることを特徴とする請求項２記載の管継手。
【発明の詳細な説明】
【技術分野】
【０００１】
本発明は、管継手に関し、特に地下水を取水するための井戸に使用する鋼管等上下方向に吊り下げた管を接続するための継手として好適な管継手に関する。
【背景技術】
【０００２】
送水用鋼管等として使用される複数の管を相互に接続する方法としては、最も簡単な方法として接続される２本の管の隣り合う端末部同士を溶接して接続する方法がある。しかし、溶接法は、工場で溶接する場合は管同士をまっすぐに接続することができるが、工事現場ではまっすぐ接続することが困難でばらつきが生じやすく、仕上がり精度が悪いという難点がある。
【０００３】
また接続される２本の管の一方の端部におねじを設け他方の端部にめねじを設けて一方の端部を他方の端部にねじ込むことにより両管を接続する方法がある。しかし、この方法は、管径が小さい場合は簡単に接続できるが、管径が大きくなると人力で管を何回も回転させてねじ込む作業が困難となり、時間もかかるという欠点がある。
【０００４】
また接続される２本の管の接続端部にそれぞれ周方向に複数のボルト孔を有するフランジを取り付け、接続される管同士のフランジを合わせてボルト孔にボルトを通してナットで締結することにより接続する方法がある。このフランジは接合面を機械加工で研削して平滑としているので管同士を接続したときの密閉性はよいが、フランジが高価であり、建設コストが嵩む難点がある。
【発明の概要】
【発明が解決しようとする課題】
【０００５】
本発明は、地下水取水用井戸等において送水用鋼管等として使用される上下方向に吊り下げた複数の管を相互に接続する従来の管継手の上記問題点にかんがみなされたものであって、上下方向に吊り下げた送水用鋼管等の管継手として必要かつ充分な機能を有しながら施工性が改善された新規な管継手を提供しようとするものである。
【課題を解決するための手段】
【０００６】
本発明者は、上記本発明の目的を達成するため鋭意研究と実験を重ねた結果、井戸用鋼管等として使用される管を接続する場合は継手部分は水密性を特に要求されないことに着目し、簡単な構造でありながら管継手としては必要かつ充分な機能を発揮することができる管継手を提供することができることを見出し、本発明に到達した。
【０００７】
すなわち、本発明の上記課題を解決するため、本発明の第１の構成においては、接続される２本の管のそれぞれの接続端部の外周面の少なくとも一部に嵌合され、固着されるフランジ固定用バンドと、管軸と平行に延長し、管の径方向に対向する２箇所において該フランジ固定用バンドの外側に固定された一対の板状のフランジとを備え、該フランジのそれぞれに締結部材挿入用の１または複数の接続孔が開設されており、該フランジは該フランジ固定用バンドの両端部を管の径方向外側に折り曲げることにより形成されており、該フランジ固定用バンドはその管軸方向外側部分が管の端縁から所定距離だけ突出した状態で管に固着されており、接続される２本の管の一方の１対のフランジの中一方の側のフランジの管軸方向内側端縁には管の径方向に延長する板状の引掛爪が固定されており、他方の管の１対のフランジの中前記一方の側と反対側のフランジの管軸方向外側端縁には管の径方向に延長する板状の引掛爪が固定されていることを特徴とする上下方向に吊り下げた管を接続するための管継手が提供される。
【０００８】
本発明の第２の構成においては、接続される２本の管のそれぞれの接続端部の外周面の少なくとも一部に嵌合され、固着されるフランジ固定用バンドと、管軸と平行に延長し、管の径方向に対向する２箇所において該フランジ固定用バンドの外側に固定された一対の板状のフランジとを備え、該フランジのそれぞれに締結部材挿入用の１または複数の接続孔が開設されており、該フランジ固定用バンドは管の接続端部の全外周面にわたって嵌合される短い筒状の部材であり、接続される２本の管の一方の該フランジ固定用バンドはその管軸方向外側部分が管の端縁から内側に向けて所定距離だけ後退した状態で管に固着され、接続される２本の管の他方の該フランジ固定用バンドはその管軸方向外側部分が管の端縁から所定距離だけ突出した状態で管に固着されており、該他方の管の該１対のフランジの管軸方向外側端縁にはそれぞれ管の径方向に延長する板状の引掛爪が固定されていることを特徴とする上下方向に吊り下げた管を接続するための管継手が提供される。
【０００９】
本発明の第３の構成においては、第２の構成に加え、該一方のフランジ固定用バンドには該１対のフランジの管円周方向の中間にさらに該フランジと同一構成の１対のフランジが固定されており、該他方の該フランジ固定用バンドには該１対のフランジの管円周方向中間にさらに該フランジと同一構成の１対のフランジが固定されている上下方向に吊り下げた管を接続するための管継手が提供される。
【発明の効果】
【００１０】
本発明の第１の構成によれば、管継手は、管軸と平行に延長し、管の径方向に対向する２箇所においてフランジ固定用バンドの外側に固定された一対の板状のフランジとを備え、該フランジのそれぞれに締結部材挿入用の１または複数の接続孔が開設されているので、接続される一方の管のフランジと他方の管のフランジを相互に重ね合わせて接続孔にボルトを挿通しナットで締結するだけの作業で簡単に２本の管を接続することができる。したがって、従来の溶接作業による管の接続方法と比べて簡単で短時間の作業により管をまっすぐに接続することができる。また従来のねじ込み型の管継手と比べて管径が大きい場合でも管を何回も回転させる作業がないので、作業が楽にすみ施工性が改善される。またフランジの接合面を研削してフランジの全周にわたり締結作業を必要とする従来のフランジ式管継手と比べて制作費が著しく安く、フランジ下部の締結作業における困難性もなく施工がはるかに容易である。
【００１１】
また本発明によれば、フランジはフランジ固定用バンドの両端部を管の径方向外側に折り曲げることにより形成されており、フランジ固定用バンドはその管軸方向外側部分が管の端縁から所定距離だけ突出した状態で管に固着されているので、フランジ固定用バンドの両端部を折り曲げるだけで１対のフランジを形成することができ製造が容易であり製作費が安価である。またフランジ固定用バンドはその管軸方向外側部分が管の端縁から所定距離だけ突出した状態で管に固着されているので、２本の管を接続する場合は、２本の管の隣り合う端縁同士をつき合わせることにより一方の管のフランジと他方の管のフランジを重ね合わせることができ作業が一層容易となる。
【００１２】
また本発明によれば、接続される２本の管の一方の１対のフランジの中一方の側のフランジの管軸方向内側端縁には管の径方向に延長する板状の引掛爪が固定されており、他方の管の１対のフランジの中前記一方の側と反対側のフランジの管軸方向外側端縁には管の径方向に延長する板状の引掛爪が固定されているので、複数の管を上下方向に接続する場合には、上方の管のフランジと下方の管のフランジが相互に離間した位置において上方の管をその下端縁が下方の管の上端縁につき合わされるまで吊り下ろし、次いで上方の管を動かして両管のフランジ同士を重ね合わせることにより、両方の管のフランジが２つの引掛爪によって相互に規制されることになり、フランジ同士の重なりがずれるおそれがなく、フランジの締結作業を容易にかつ安定的に行うことができる。
【００１３】
本発明の第２の構成によれば、フランジ固定用バンドは管の接続端部の全外周面にわたって嵌合される短い筒状の部材であり、接続される２本の管の一方のフランジ固定用バンドはその管軸方向外側部分が管の端縁から内側に向けて所定距離だけ後退した状態で管に固着され、接続される２本の管の他方の該フランジ固定用バンドはその管軸方向外側部分が管の端縁から所定距離だけ突出した状態で管に固着されており、該他方の管の１対のフランジの管軸方向外側端縁にはそれぞれ管の径方向に延長する板状の引掛爪が固定されているので、複数の管を上下方向に接続する場合には、前記一方の管を上方の管とし、前記他方の管を下方の管として配置し、上方の管のフランジと下方の管のフランジが相互に離間した位置において上方の管をそのフランジ固定用バンドの下端縁が下方の管のフランジ固定用バンドの上端縁につき合わされるまで吊り下ろし、次いで上方の管を回転させて両管のフランジ同士を重ね合わせることにより、両方の管のフランジが２つの引掛爪によって相互に規制されることになり、フランジ同士の重なりがずれるおそれがなく、フランジの締結作業を容易にかつ安定的に行うことができる。
【００１４】
本発明の第３の構成によれば、第２の構成に加えて、前記一方のフランジ固定用バンドには１対のフランジの管円周方向の中間にさらに該フランジと同一構成の１対のフランジが固定されており、前記他方のフランジ固定用バンドには１対のフランジの管円周方向中間にさらに該フランジと同一構成の１対のフランジが固定されているので、この継手は合計４対のフランジによって２本の管を接続することになり、接続が一層強化され、多数の管または大口径で重量の大きい管を吊り下げる場合に有効である。
【図面の簡単な説明】
【００１５】
【図１】本発明の管継手の１実施形態を示す斜視図である。
【図２】本発明の他の実施形態を示す斜視図である。
【図３】本発明のさらに他の実施形態を示す斜視図である。
【発明を実施するための形態】
【００１６】
以下添付図面を参照して本発明の好ましい実施態様について説明する。  
【００１７】
図１の本実施形態およびその後に説明する各実施形態はスクリーン管を接続する管継手として説明されているが、接続される管はスクリーン管に限らず、通常の円筒形の鋼管または硬質プラスチック製管であってもよい。また本実施形態およびその後に説明する各実施形態に用いられる管継手は鋼製の継手として説明されているが、継手は鋼製に限らず、合金鉄等の金属製または硬質プラスチック製の継手であってもよい。
【００１８】
図１は本発明の管継手の１実施形態を示すもので、上下方向に吊り下げた管を接続するために好適な実施形態である。この実施形態は上記第１の構成に相当するものである。図１の（ａ）は継手を接続する前の状態を示す図、（ｂ）は継手を接続した状態を示す図である。
【００１９】
管継手１は２つの継手部分２、２からなり、各継手部分２、２は接続される２本の円筒状の管３．３のそれぞれの接続端部４、４の外径よりも僅かに大きい内径を有する短い円筒を径方向に２分割した形状のフランジ固定用バンド５、５と、管３、３の管軸と平行に延長し、管３、３の径方向に対向する２箇所においてフランジ固定用バンド５、５の外側に固定された一対の管軸方向に長い板状のフランジ６、６とを備えている。これらのフランジ６、６はフランジ固定用バンド５、５の両端部を管３、３の径方向外側に折り曲げることにより形成されている。各フランジ６にはその中央部に締結部材挿入用の１または複数の接続孔７が開設されている。
【００２０】
接続される２本の管３、３のフランジ固定用バンド５はその管軸方向外側部分が管３の端縁から所定距離だけ突出した状態で管３の接続端部４の端部外周面に嵌合され溶接されている。なお、フランジ固定用バンド５が硬質プラスチック製である場合は、接着剤を用いて接続端部４に接着する。
【００２１】
本実施形態の管継手１は工場で製作され出荷される時点では図１（ａ）の状態となっている。
【００２２】
この実施形態においては、図１（ａ）において接続される２本の管３、３の中上方の管３の１対のフランジ６、６の中一方の側（図中手前側）のフランジ６の管軸方向内側端縁には管の径方向に延長する板状の引掛爪８が固定されており、下方の管３の１対のフランジ６、６の中前記一方の側と反対側（図中奥側）のフランジ６の管軸方向外側端縁には管の径方向に延長する板状の引掛爪８が固定されている。
【００２３】
この実施形態によれば、複数の管を上下方向に接続する場合には、上方の管３の軸芯と下方の管の軸芯が相互に離間し、上方の管３のフランジ６と下方の管３のフランジ６が相互に離間した位置（ずれた位置）において上方の管３をその下端縁が下方の管３の上端縁につき合わされるまで吊り下ろし、次いで上方の管３を図中横方向の矢印の方向に動かして両管３、３のフランジ６．６同士を重ね合わせることにより、両方の管のフランジ６、６が２つの引掛爪８、８によって相互に規制されることになり、フランジ６、６同士の重なりがずれるおそれがなく、フランジの締結作業を容易にかつ安定的に行うことができる。
【００２４】
図２は本発明の管継手の他の実施形態を示すもので、上下方向に吊り下げた管を接続するために好適な実施形態である。この実施形態は上記第２の構成に相当するものである。図２の（ａ）は継手を接続する前の状態を示す図、（ｂ）は継手を接続した状態を示す図である。
【００２５】
この実施形態においては、フランジ固定用バンド５は管３の接続端部４の全外周面にわたって嵌合され溶接される短い筒状の部材であり、接続される２本の管の上方の管３のフランジ固定用バンド５はその管軸方向外側部分が管の下端縁から内側に向けて所定距離だけ後退した状態で管３に固着され、接続される２本の管の下方の管３のフランジ固定用バンド５はその管軸方向外側部分が管の上端縁から所定距離だけ突出した状態で管３に固着されている。各管の１対のフランジ６、６はフランジ固定用バンド５とは別の部材をフランジ固定用バンド５に溶接固定することにより形成されており、下方の管３の１対のフランジ６、６の管軸方向外側端縁にはそれぞれ管３の径方向に延長する板状の引掛爪８、８が固定されている。
【００２６】
図２の実施形態によれば、複数の管を上下方向に接続する場合には、上方の管３のフランジ６、６と下方の管のフランジ６、６が相互に離間した位置において上方の管３をそのフランジ固定用バンド５の下端縁が下方の管３のフランジ固定用バンド５の上端縁につき合わされるまで吊り下ろし、次いで上方の管３を図２（ａ）中反時計方向に回転させて両管のフランジ６、６同士を重ね合わせることにより、両方の管のフランジ６、６が２つの引掛爪８、８によって相互に支持されることになり、フランジ同士の重なりがずれるおそれがなく、フランジの締結作業を容易にかつ安定的に行うことができる。
【００２７】
図３は本発明の管継手の他の実施形態を示すもので、図２の実施形態同様に上下方向に吊り下げた管を接続するために好適な実施形態である。この実施形態は上記第３の構成に相当するものである。図３の（ａ）は継手を接続する前の状態を示す図、（ｂ）は継手を接続した状態を示す図である。
【００２８】
この実施形態においては、上方の管３のフランジ固定用バンド５には１対のフランジ６、６の管円周方向の中間にさらに該フランジと同一構成の１対の追加のフランジ６−２、６−２が溶接固定されており、下方のフランジ固定用バンド５には１対のフランジ６、６の管円周方向中間にさらに該フランジと同一構成の１対のフランジ６−２、６−２が溶接固定されている。他の構造は図２の実施形態と同じである。
【００２９】
この実施形態によれば、この継手は合計４対のフランジによって２本の管を接続することになり、接続が一層強化され、多数の管または大口径で重量の大きい管を吊り下げる場合に有効である。
【符号の説明】
【００３０】
１                  管継手
２                  継手部分
３                  管
４                  接続端部
５                  フランジ固定用バンド
６                  フランジ
７                  接続孔
８                  引掛爪
【図１】
2014077502.tif 000003
【図２】
2014077502.tif 000004
【図３】
2014077502.tif 000005